(57)【要約】【課題】孔版原紙ロールから繰り出された孔版原紙を搬送する孔版原紙搬送装置において、搬送された孔版原紙に製版される製版画像の伸縮を回避する。【解決手段】残量算出手段６５において孔版原紙ロール２１ｂの記憶手段７０に記憶された孔版原紙ロールの全長から製版された版の長さを累積的に減算して孔版原紙ロールの残量を算出し、その残量が少なくなるにつれてライトパルスモータを早く回転させてプラテンローラの回転速度を制御することにより、孔版原紙にかかるバックテンションによるプラテンローラ２３上における滑り分の搬送距離を補い、孔版原紙を一定の搬送速度で搬送する。【選択図】          図２
2004216745.tif 000002
【特許請求の範囲】
【請求項１】
孔版原紙ロールから繰り出された孔版原紙を、搬送手段を所定の作動速度で作動させて搬送する孔版原紙搬送方法において、
前記孔版原紙ロールの残量を取得し、
該取得された残量に基づいて前記搬送手段の作動速度を制御して前記孔版原紙を一定の搬送速度で搬送することを特徴とする孔版原紙搬送方法。
【請求項２】
前記孔版原紙の種類を取得し、
該孔版原紙の種類および前記残量に基づいて前記搬送手段の作動速度を制御して前記孔版原紙を一定の搬送速度で搬送することを特徴とする請求項１記載の孔版原紙搬送方法。
【請求項３】
孔版原紙ロールから繰り出された孔版原紙を所定の作動速度で作動させて搬送する孔版原紙搬送装置において、
前記孔版原紙ロールの残量を取得する残量取得手段と、
該残量取得手段により取得された残量に基づいて前記孔版原紙の搬送速度が一定となるよう前記作動速度を制御する作動速度制御手段とを有することを特徴とする孔版原紙搬送装置。
【請求項４】
使用環境温度を検出する温度検出手段を有し、
前記作動速度制御手段が、前記温度検出手段により検出された使用環境温度および前記残量に基づいて前記孔版原紙の搬送速度が一定となるよう前記作動速度を制御するものであることを特徴とする請求項３記載の孔版原紙搬送装置。
【請求項５】
前記孔版原紙の種類を取得する原紙種類取得手段を有し、
前記作動速度制御手段が、前記原紙種類取得手段により取得された孔版原紙の種類および前記残量に基づいて前記孔版原紙の搬送速度が一定となるよう前記作動速度を制御するものであることを特徴とする請求項３記載の孔版原紙搬送装置。
【請求項６】
前記孔版原紙を穿孔するサーマルヘッドと、該サーマルヘッドの種類を取得するサーマルヘッド種類取得手段を有し、
前記作動速度制御手段が、前記サーマルヘッド種類取得手段により取得されたサーマルヘッドの種類および前記残量に基づいて前記孔版原紙の搬送速度が一定となるよう前記作動速度を制御するものであることを特徴とする請求項３記載の孔版原紙搬送装置。
【請求項７】
請求項１または２記載の孔版原紙搬送方法の実施に使用される孔版原紙ロールであって、前記残量に応じた残量データを記憶する記憶手段を有するものであることを特徴とする孔版原紙ロール。
【請求項８】
請求項２記載の孔版原紙搬送方法の実施に使用される孔版原紙ロールであって、前記孔版原紙の種類に応じた種類データを記憶する記憶手段を有するものであることを特徴とする孔版原紙ロール。
【発明の詳細な説明】
【０００１】
【発明の属する技術分野】
本発明は、孔版原紙ロールから繰り出された孔版原紙を搬送する孔版原紙搬送方法および装置並びに孔版原紙ロールに関するものである。
【０００２】
【従来の技術】
従来より、スキャナなどにより原稿を読み取った画像データに基づいてサーマルヘッドなどを駆動して孔版原紙を溶融穿孔し、その後切断して版を作成し、この作成された版を印刷ドラムに巻着して印刷ドラムの内側よりインクを供給し、ローラなどによりインキを印刷用紙に転移することにより印刷を行う孔版印刷装置が種々提案されている。
【０００３】
上記のような孔版印刷装置においては、操作性向上のために孔版原紙がロール状に巻かれた孔版原紙ロールが使用される。そして、この孔版原紙ロールから繰り出された孔版原紙は、製版処理の際には、サーマルヘッドと該サーマルヘッドに対向して設けられたプラテンローラに挟持され、プラテンローラが回転することにより搬送される。
【０００４】
ここで、上記のようにプラテンローラの回転により孔版原紙を搬送する際には、サーマルヘッドとプラテンローラによって挟まれた部分にしわが発生しないように孔版原紙にその搬送方向と逆方向のテンションが与えられる。そして、このテンションは、たとえば、孔版原紙ロールが設置されるロールホルダーに設けられたシリコンダンパーにより与えられる。シリコンダンパーの回転に要するトルクは一定であり、このトルクと、孔版原紙に発生するテンションと孔版原紙ロールの径との積が釣り合うようになっている。
【０００５】
【特許文献１】
特開平１１−３０９８３３号公報
【０００６】
【特許文献２】
特開２００２−１９２４７号公報
【０００７】
【発明が解決しようとする課題】
しかしながら、孔版原紙ロールは製版に使用されるにつれてその径が次第に小さくなるので、孔版原紙に発生するテンションが大きくなる。上記のように孔版原紙に発生するテンションが大きくなると、プラテンローラと孔版原紙との間にスリップが発生する。そして、このスリップによりプラテンローラが回転した距離に対して孔版原紙の搬送された長さが短くなる、つまり孔版原紙において製版された寸法が予定寸法よりも短くなり、製版された画像の縮みを発生させてしまう。特許文献１や特許文献２においては、上記のように孔版原紙ロールの径によって変化するテンションを一定に保つためのローラなどを設け、上記のような問題を回避する方法が提案されているが、ローラなどの機構が必要であり、コストアップおよび装置の大型化を招くことになる。特に孔版原紙ロールの巻心部分では解決に至っていない。
【０００８】
また、上記プラテンローラは孔版原紙をサーマルヘッドに密着させる必要があるため、プラテンローラにはゴム材質などの弾性体が設けられている。しかしながら、上記のような弾性体は使用環境温度の変化によって伸縮するため、プラテンローラの径が変化し、その結果、同じプラテンローラの回転速度であっても孔版原紙の搬送速度が変化して製版画像の伸縮が発生してしまう。
【０００９】
また、孔版原紙が熱可塑性フィルムと多孔性支持体とを貼り合わせてなるものである場合には、熱可塑性フィルムのサーマルヘッドとの接触面の摩擦係数や、多孔性支持体のプラテンローラとの接触面の摩擦係数、サーマルヘッドの熱可塑性フィルムとの接触面の摩擦係数などによっても孔版原紙の搬送速度が変化してしまうので上記と同様の問題を生じてしまう。
【００１０】
本発明は、上記のような事情に鑑み、装置の大型化やコストアップを招くことなく、上記のような製版画像の伸縮を回避することができる孔版原紙搬送方法および装置並びに孔版原紙ロールを提供することを目的とするものである。
【００１１】
【課題を解決するための手段】
本発明の孔版原紙搬送方法は、孔版原紙ロールから繰り出された孔版原紙を、搬送手段を所定の作動速度で作動させて搬送する孔版原紙搬送方法において、孔版原紙ロールの残量を取得し、その取得された残量に基づいて搬送手段の作動速度を制御して孔版原紙を一定の搬送速度で搬送することを特徴とする。
【００１２】
ここで、上記「搬送手段」としては、たとえば、プラテンロールや搬送ベルトなどがある。
【００１３】
また、上記「所定の作動速度で作動させて搬送する」とは、たとえば、搬送手段がプラテンローラである場合には、プラテンローラを所定の回転速度で回転させて搬送することをいい、搬送手段が搬送ベルトである場合には、搬送ベルトを所定の移動速度で移動させて搬送することをいう。
【００１４】
また、上記「残量を取得する」とは、装置の操作者が残量を所定の入力手段により直接入力することにより取得するようにしてもよいし、孔版原紙ロールの径を計測し、その計測された径に基づいて残量を算出して取得するようにしてもよいし、予め孔版原紙ロールの孔版原紙の未使用時の全長を取得し、この全長から使用量を累積的に減算して残量を算出して取得するようにしてもよい。また、残量を直接取得するのではなく、孔版原紙の使用量を取得し、これを間接的に残量を表すものとして利用するようにしてもよい。
【００１５】
また、上記「残量に基づいて搬送手段の作動速度を制御して孔版原紙を一定の搬送速度で搬送する」とは、たとえば、搬送手段がプラテンローラである場合には、孔版原紙ロールの残量が少なくなるにつれて上述したテンションが大きくなりスリップを生じるので、このスリップ分も考慮して回転速度を大きくし、孔版原紙の搬送速度が変化しないようにすることをいう。また、搬送手段が搬送ベルトである場合にも、上記と同様に、孔版原紙ロールの残量が少なくなるにつれて上述したテンションが大きくなりスリップを生じるので、このスリップ分も考慮して移動速度を大きくし、孔版原紙の搬送速度が変化しないようにすることをいう。なお、上記「一定」とは、略一定であればよく、また、上記「一定の搬送速度で搬送する」とは、上記残量の変化のみによって生じる搬送速度の変化を減少させることをいい、残量の変化以外の要因による搬送速度の変化までは含まないものとする。
【００１６】
また、上記孔版原紙搬送方法においては、孔版原紙の種類を取得し、孔版原紙の種類および上記残量に基づいて搬送手段の作動速度を制御して孔版原紙を一定の搬送速度で搬送するようにすることができる。
【００１７】
ここで、上記「孔版原紙の種類」としては、たとえば、孔版原紙が熱可塑性フィルムと多孔性支持体とを貼り合わせてなるものである場合には、熱可塑性フィルムの種類や多孔性支持体の種類などがある。また、上記「孔版原紙の種類」としては、上記のような孔版原紙の種類の情報そのものでもよいし、上記情報を示す文字、数字または記号などのパラメータでもよく、上記情報を示すデータであれば如何なるものでもよい。
【００１８】
また、上記「孔版原紙の種類を取得する」とは、たとえば、装置の操作者が種類を所定の入力手段により装置本体に直接入力することにより取得するようにしてもよいし、孔版原紙ロールにメモリーなどを設け、このメモリーに種類データを記憶しておき、これを読み出すようにしてもよい。
【００１９】
本発明の孔版原紙搬送装置は、孔版原紙ロールから繰り出された孔版原紙を所定の作動速度で作動させて搬送する孔版原紙搬送装置において、孔版原紙ロールの残量を取得する残量取得手段と、その残量取得手段により取得された残量に基づいて孔版原紙の搬送速度が一定となるよう作動速度を制御する作動速度制御手段とを有することを特徴するものである。
【００２０】
また、上記孔版原紙搬送装置においては、使用環境温度を検出する温度検出手段を有するものとし、作動速度制御手段を、温度検出手段により検出された使用環境温度および上記残量に基づいて孔版原紙の搬送速度が一定となるよう作動速度を制御するものとすることができる。
【００２１】
また、孔版原紙の種類を取得する原紙種類取得手段を有するものとし、作動速度制御手段を、原紙種類取得手段により取得された孔版原紙の種類および上記残量に基づいて孔版原紙の搬送速度が一定となるよう作動速度を制御するものとすることができる。
【００２２】
また、孔版原紙を穿孔するサーマルヘッドと、サーマルヘッドの種類を取得するサーマルヘッド種類取得手段を有するものとし、作動速度制御手段を、サーマルヘッド種類取得手段により取得されたサーマルヘッドの種類および上記残量に基づいて孔版原紙の搬送速度が一定となるよう作動速度を制御するものとすることができる。
【００２３】
また、上記「サーマルヘッドの種類を取得する」とは、たとえば、装置の操作者が種類を所定の入力手段により装置本体に直接入力することにより取得するようにしてもよいし、孔版原紙ロールにメモリーなどを設け、このメモリーに種類データを記憶しておき、これを読み出すようにしてもよい。
【００２４】
本発明の孔版原紙ロールは、上記孔版原紙搬送方法の実施に使用される孔版原紙ロールであって、上記残量に応じた残量データを記憶する記憶手段を有するものであることを特徴とする。
【００２５】
また、上記孔版原紙ロールにおいては、上記記憶手段に孔版原紙の種類に応じた種類データを記憶するようにすることができる。
【００２６】
【発明の効果】
本発明の孔版原紙搬送方法および装置によれば、孔版原紙ロールの残量を取得し、その取得された残量に基づいて搬送手段の作動速度を制御して孔版原紙を一定の搬送速度で搬送するようにしたので、装置の大型化やコストアップを招くことなく、孔版原紙ロールの径の減少に伴なう搬送速度の変動を抑制して製版画像の伸縮を回避し、寸法精度の高い印刷画像を得ることができる。
【００２７】
また、上記孔版原紙搬送方法および装置において、孔版原紙の種類を取得し、孔版原紙の種類および上記残量に基づいて搬送手段の作動速度を制御して孔版原紙を一定の搬送速度で搬送するようにした場合には、摩擦係数などが異なる複数種類の孔版原紙を使用したとしても上記のような製版画像の伸縮を回避することができる。
【００２８】
また、上記孔版原紙搬送装置において、使用環境温度を検出し、その検出された使用環境温度および上記残量に基づいて搬送手段の作動速度を制御して孔版原紙を一定の搬送速度で搬送するようにした場合には、使用環境温度の変化によるプラテンローラの径の変化に伴なう上記のような製版画像の伸縮を回避することができる。
【００２９】
また、サーマルヘッドの種類および上記残量に基づいて搬送手段の作動速度を制御して孔版原紙を一定の搬送速度で搬送するようにした場合には、表面性状が異なるサーマルヘッドを使用したことに起因する上記のような製版画像の伸縮を回避することができる。
【００３０】
本発明の孔版原紙ロールによれば、上記残量に応じた残量データを記憶する記憶手段を有するものとしたので、たとえば、使用途中の孔版原紙ロールが設置されたとしてもその使用途中の残量データを自動的に得ることができ、その後も正確な残量を算出することができる。
【００３１】
また、上記孔版原紙ロールにおいて、上記記憶手段に孔版原紙の種類に応じた種類データを記憶するようにすれば、種類データを記憶手段から読み出すことにより自動的に得ることができる。
【００３２】
【発明の実施の形態】
以下、図面を参照しながら本発明の孔版原紙搬送装置および孔版原紙ロールの一実施形態を利用した孔版印刷装置について説明する。図１は本孔版印刷装置の概略構成図である。
【００３３】
本孔版印刷装置は、図１に示すように、原稿の画像を読み取る読取部１０、読取部１０で読み取られた画像情報に基づいて孔版原紙Ｍに製版処理を施す製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、および使用済みの孔版原紙Ｍを廃棄する排版部６０を備えている。
【００３４】
読取部１０は、イメージスキャナであり、副走査方向に搬送される原稿の画像の読み取りを行うラインイメージセンサ１２と原稿送りローラ１４とを有している。
【００３５】
製版部２０は、原紙ロール部２１と、複数個の発熱体が一列配列されてなるサーマルヘッド２２と、プラテンローラ２３と、原紙送りローラ２４と、原紙案内ローラ２５，２６，２７と、原紙カッタ２８とを有している。そして、製版部２０は、プラテンローラ２３などにより孔版原紙Ｍを搬送するとともに、孔版原紙Ｍをプラテンローラ２３によりサーマルヘッド２２に押圧して感熱穿孔し、製版処理を行うものである。プラテンローラ２３には、孔版原紙Ｍをサーマルヘッド２２に密着させるためのゴム材質などからなる弾性体が設けられている。
【００３６】
また、図２に示すように、原紙ロール部２１には、製版前の長尺の孔版原紙Ｍが紙管２１ａに券回された孔版原紙ロール２１ｂがマスターホルダー８０に交換可能な状態で設置されている。そして、孔版原紙ロール２１ｂの紙管２１ａ内の一端部には、紙管２１ａに対して回転自在に設置された支持部材２１ｃに、孔版原紙ロール２１ｂの未使用時の孔版原紙Ｍの全長および孔版原紙ロール２１ｂの使用後の孔版原紙Ｍの残量データを長さとして記憶する記憶手段７０が配置されている。この記憶手段７０は電源を供給しなくても一定期間データを記憶できる不揮発性メモリー（ＥＥＰＲＯＭなど）を構成するメモリーＩＣ７１を備え、このメモリーＩＣ７１が取り付けられた基板７２の先端に接点７３が設けられている。また、図２に示すように、マスターホルダー８０には孔版原紙ロール２１ｂの記憶手段７０の接点７３と電気的に接続するコネクター７４が設置されている。また、マスターホルダー８０には、孔版原紙ロール２１ｂから繰り出された孔版原紙Ｍに、孔版原紙Ｍが搬送される方向と逆方向のテンションが発生するように紙管２１ａの回転を制御するシリコンダンパー８１が設けられている。このシリコンダンパー８１により孔版原紙Ｍにバックテンションを発生させることにより、孔版原紙Ｍにしわがよるのを回避することができる。
【００３７】
また、本孔版印刷装置は、図２に示すように、製版する度に、製版された版の長さを未使用時の孔版原紙ロール２１ｂの全長から累積的に減算することにより孔版原紙ロール２１ｂの残量を算出する残量算出手段６５、残量算出手段６５により算出された残量に基づいて後述するライトパルスモータ６７の周波数を変化させてプラテンローラ２３の回転速度を変化させる作動速度制御手段６６、作動速度制御手段６６から出力された周波数に基づいて回転するライトパルスモータ６７を備えている。
【００３８】
ここで、上述したように孔版原紙ロール２１ｂにはバックテンションが発生しているが、このバックテンションの大きさは孔版原紙ロール２１ｂの径が小さくなるにつれて大きくなる。つまり、孔版原紙ロール２１ｂの残量が少なくなるほどバックテンションが大きくなるため、プラテンローラ２３上で孔版原紙Ｍの滑りが生じ、サーマルヘッド２２が発熱するタイミングに対して孔版原紙Ｍの搬送速度が遅くなってしまい、その結果、製版画像の縮みが生じる。したがって、作動速度制御手段６６は、孔版原紙Ｍの搬送速度が一定となるようにプラテンローラの回転速度を制御するものである。具体的には、作動速度制御手段６６は、孔版原紙ロール２１ｂの残量が少なくなるにつれて、プラテンローラ２３の回転速度が早くなるように制御するものである。作動速度制御手段６６には、図３に示すような補正テーブルが記憶されている。補正テーブルは、図３に示すように、孔版原紙ロール２１ｂの残量と補正率とを関連付けたものである。補正テーブルにおける補正率の欄には、たとえば、１０％、２０％といった値が入力されている。この補正率は、孔版原紙ロール２１ｂの残量が変化しても孔版原紙Ｍの搬送速度が一定となるように予め実験などにより求められて設定された値である。なお、作動速度制御手段６６には、補正テーブルのほかに予め設定された標準的なライトパルスモーターの周波数が記憶されており、搬送速度制御手段６６は、入力された残量データに基づいて補正テーブルから補正率を求め、この補正率を上記標準的な周波数に掛け合わせた値を上記標準的な周波数に加算し、その加算値をライトパルスモータ６７に出力するものである。なお、図３において残量は枚数で設定されているが％単位で設定するようにしてもよい。
【００３９】
印刷部３０は、多孔金属板、メッシュ構造体などのインキ通過性の円筒状の印刷ドラム３１と、印刷ドラム３１の内部に配置されたスキージローラ３２とドクターローラ３３とによるインキ供給装置３４と、プレスローラ３５とを有している。ドラムの外周には製版後の孔版原紙Ｍが巻き付けられて装着されるようになっている。
【００４０】
給紙部４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラ３５との間に送り出すタイミングローラ４３とを有している。
【００４１】
排紙部５０は、印刷用紙Ｐを印刷ドラム３１より剥ぎ取る剥取爪５１と、排紙送りベルト部５２と、印刷済みの印刷用紙Ｐが積載される排紙台５３とを有している。
【００４２】
排版部６０は、版印刷部３０の一方の側に設けられ、印刷ドラム３１から引き剥がされた使用済みの孔版原紙Ｍが送り込まれる排版ボックス６１と、印刷ドラム３１から使用済み孔版原紙Ｍを引き剥がして排版ボックス６１内へ送り込む排板ローラ６２とを有している。
【００４３】
次に、本孔版印刷装置の作用について説明する。
【００４４】
まず、マスターホルダー８０に孔版原紙ロール２１ｂが設置され、予め設定された一版分の版の長さの孔版原紙Ｍが繰り出され、該孔版原紙Ｍは原紙案内ローラ２５によりプラテンローラ２３とサーマルヘッド２２との間に案内される。
【００４５】
一方、上記のようにしてマスターホルダー８０に孔版原紙ロール２１ｂが設置されたことにより、マスターホルダー８０に設けられたコネクタ７４と孔版原紙ロール２１ｂに設けられた記憶手段７０の接点７３とが電気的に接続され、記憶手段７０に記憶された未使用時の孔版原紙Ｍの全長が残量算出手段６５により読み出され、残量算出手段６５に設けられたメモリ６６に記憶される。また、メモリ６６には予め設定された一版分の版の長さが記憶されており、残量算出手段６５は上記全長を上記一版分の版の長さで除算して枚数を算出し、この枚数を作動速度制御手段６６に出力する。作動速度制御手段６６は、上記のようにして入力された枚数に基づき、補正テーブルを参照して補正率を求める。そして、その求めらた補正率に基づいて算出された周波数をライトパルスモータ６７に出力する。ライトパルスモータ６７は上記のようにして入力された周波数に基づいて回転してプラテンローラ２３を回転させる。
【００４６】
そして、プラテンローラ２３とサーマルヘッド２２との間に案内された孔版原紙Ｍは、プラテンローラ２３によりサーマルヘッド２２に押圧されるとともに、上記のようにして回転速度が制御されたプラテンローラ２３の回転により搬送される。そして、上記ようにして搬送された孔版原紙Ｍにはサーマルヘッド２２により感熱穿孔が施され、その後、原紙案内ローラ２６，２７および原紙送りローラ２４により原紙カッタ２８まで搬送され、原紙カッタ２８により一版分の長さの版が切断されて印刷ドラム３１に巻着される。
【００４７】
そして、インキ供給装置３４により印刷ドラム３１の内側に所定の色のインキが供給される。印刷ドラム３１が図１における反時計回りの方向へ回転駆動されると印刷ドラム３１の回転に同期して所定のタイミングにて印刷用紙Ｐがタイミングローラ４３により図１における左から右へ移動して印刷ドラム３１とプレスローラ３５との間に供給される。そして、印刷用紙Ｐがプレスローラ３５によりドラムの外周面に巻き付けられている孔版原紙Ｍに対し圧接されることにより、印刷用紙Ｐに対して所定の色のインキによる孔版印刷が行われる。
【００４８】
一方、上記製版動作および印刷動作とともに、残量算出手段６５においては、メモリ６６に記憶された未使用時の孔版原紙Ｍの全長から同じくメモリ６６に記憶された一版分の版の長さが減算され、孔版原紙Ｍの残量データとして再びメモリ６６に記憶される。そして、このメモリ６６に記憶された残量データは、コネクタ７４および接点７３を介して記憶手段７０に記憶される。そして、次に製版動作を開始する際には、残量算出手段６５は記憶部７０に記憶された残量データを読み出し、上記と同様にして枚数を算出し、この枚数を作動速度制御手段６６に出力する。作動速度制御手段６６は、上記と同様にして、入力された枚数基づき、補正テーブルを参照して補正率を求める。そして、この補正率に基づいて、上記と同様にしてプラテンローラ２３の回転速度が制御されて次の製版が行われる。
【００４９】
上記のような動作を繰り返して行うことにより、孔版原紙ロール２１ｂの残量に応じた回転速度で、つまり孔版原紙ロール２１ｂの径に応じた回転速度でプラテンローラ２３の回転させ、常に一定の速度で孔版原紙Ｍが搬送されるようにする。
【００５０】
上記実施形態の孔版印刷装置によれば、孔版原紙ロールの残量を取得し、その取得された残量に基づいて搬送手段の作動速度を制御して孔版原紙を一定の搬送速度で搬送するようにしたので、装置の大型化やコストアップを招くことなく、製版画像の伸縮を回避し、寸法精度の高い印刷画像の印刷を可能とする。
【００５１】
また、上記のように孔版原紙Ｍはプラテンローラ２３により搬送されるが、孔版原紙Ｍの搬送速度は孔版原紙Ｍのプラテンローラ２３に接する面の摩擦係数や孔版原紙Ｍの弾性率などによって変化してしまう場合がある。したがって、上記のように搬送速度が変化しないように、孔版原紙Ｍの種類を取得する原紙種類取得手段と、作動速度制御手段６６に図４（ａ）に示すような補正テーブルとをさらに設け、原紙種類取得手段により取得された孔版原紙Ｍの種類（たとえば支持体の種類）と図４（ａ）に示す補正テーブルから求められた補正率に基づいた回転速度でプラテンローラ２３を回転させるようにしてもよい。具体的には、孔版原紙Ｍの弾性率が高くなる程プラテンローラ２３への密着性が高くなり、プラテンローラ２３の表面における孔版原紙Ｍの滑りが少なくなるので、たとえば、上記実施形態において使用されたライトパルスモータの標準的な周波数および補正率を求める際に使用された標準の孔版原紙Ｍの弾性率よりも高い弾性率の孔版原紙Ｍが使用される場合には、補正率を１００％より小さい値とし、標準の孔版原紙Ｍの弾性率よりも低い弾性率の孔版原紙Ｍが使用される場合には、補正率を１００％より大きい値とすればよい。また、孔版原紙Ｍの摩擦係数が高くなる程プラテンローラ２３への密着性が高くなり、プラテンローラ２３の表面における孔版原紙Ｍの滑りが少なくなるので、たとえば、上記実施形態において使用されたライトパルスモータの標準的な周波数および補正率を求める際に使用された標準の孔版原紙Ｍの摩擦係数よりも大きい摩擦係数の孔版原紙Ｍが使用される場合には、補正率を１００％より小さい値とし、標準の孔版原紙Ｍの摩擦係数よりも小さい摩擦係数の孔版原紙Ｍが使用される場合には、補正率を１００％より大きい値とすればよい。そして、上記のようにして孔版原紙ロール２１ｂの残量に基づいて算出された周波数にさらに上記孔版原紙Ｍの種類に基づいて求められた補正率を掛け合わせた周波数を求め、この周波数を作動速度制御手段６６からライトパルスモータ６７に出力し、プラテンローラ２３の回転速度を制御するようにすればよい。なお、孔版原紙の種類としては、支持体の種類だけでなく、熱可塑性フィルムの種類と補正率を対応づけた補正テーブルを設けるようにしてもよいし、または、熱可塑性フィルム、多孔性支持体または孔版原紙の弾性率の大きさなど、孔版原紙とサーマルヘッドまたは孔版原紙とプラテンローラなどの搬送手段との摩擦力に影響を与えるような個々の孔版原紙に固有のパラメータを取得し、このパラメータに基づいて関係式を用いて補正率などを算出するようにしてもよい。
【００５２】
また、上記と同様に、孔版原紙Ｍの搬送速度はサーマルヘッド２２の孔版原紙Ｍに接する面によって変化してしまう場合がある。したがって、上記のように搬送速度が変化しないように、サーマルヘッド２２の種類を取得するサーマルヘッド種類取得手段と、作動速度制御手段６６に図４（ｂ）に示すような補正テーブルとをさらに設け、サーマルヘッド種類取得手段により取得されたサーマルヘッドの種類と図４（ｂ）に示す補正テーブルから求められた補正率に基づいた回転速度でプラテンローラ２３を回転させるようにしてもよい。具体的には、サーマルヘッド２２の摩擦係数が大きい程プラテンローラ２３への密着性が高くなり、プラテンローラ２３の表面における孔版原紙Ｍの滑りが少なくなるので、たとえば、上記実施形態において使用されたライトパルスモータの標準的な周波数および補正率を求める際に使用された標準のサーマルヘッド２２の摩擦係数よりも大きい摩擦係数のサーマルヘッド２２が使用される場合には、補正率を１００％より小さい値とし、標準のサーマルヘッド２２の摩擦係数よりも小さい摩擦係数のサーマルヘッド２２が使用される場合には、補正率を１００％より大きい値とすればよい。そして、上記のようにして孔版原紙ロール２１ｂの残量に基づいて算出された周波数にさらに上記サーマルヘッド２２の種類に基づいて求められた補正率を掛け合わせた周波数を求め、この周波数を作動速度制御手段６６からライトパルスモータ６７に出力し、プラテンローラ２３の回転速度を制御するようにすればよい。なお、サーマルヘッドの種類としては、サーマルヘッドの表面性状の違いを示すものであれば如何なるものでもよく、たとえば、サーマルヘッドの材料の種類やサーマルヘッドの表面に被覆された保護膜材料の種類などでもよく、また、サーマルヘッドの孔版原紙との接触面の摩擦係数や平滑度などのパラメータを取得し、このパラメータに基づいて関係式を用いて補正率などを算出するようにしてもよい。
【００５３】
また、プラテンローラ２３の設けられた弾性体は使用環境温度によって膨張、収縮するので、プラテンローラ２３の径が使用環境温度によって変化し、その径の変化により孔版原紙Ｍの搬送速度が変化してしまう場合がある。したがって、上記のように搬送速度が変化しないように、使用環境温度を検出する温度センサなどの温度検出手段と、作動速度制御手段６６に図４（ｃ）に示すような補正テーブルとをさらに設け、温度検出手段により検出された温度と図４（ｃ）に示す補正テーブルから求められた補正率に基づいた回転速度でプラテンローラ２３を回転させるようにしてもよい。具体的には、使用環境温度が高くなるにつれてプラテンローラ２３の径が多くなり孔版原紙Ｍの搬送速度が速くなるので、使用環境温度が高くなるに連れて補正率が小さくなるように設定すればよい。たとえば、上記実施形態において使用されたライトパルスモータ６７の標準的な周波数および補正率が常温下において実験された結果である場合には、図４（ｃ）に示す補正テーブルの常温〜常温−１０℃および常温〜常温＋１０℃の補正率は１００％とし、常温−１０℃〜常温−２０℃の場合の補正率は１００％より大きい値とし、常温＋１０℃〜常温＋２０℃の補正率は１００％より小さい値とするようにし、上記のようにして孔版原紙ロール２１ｂの残量に基づいて算出された周波数にさらに上記使用環境温度に基づいて求められた補正率を掛け合わせた周波数を求め、この周波数を作動速度制御手段６６からライトパルスモータ６７に出力し、プラテンローラ２３の回転速度を制御するようにすればよい。
【００５４】
また、孔版原紙Ｍの搬送速度は、孔版原紙Ｍの幅（孔版原紙Ｍの搬送方向に直交する方向の長さ）によっても変化する。したがって、孔版原紙Ｍの幅によって上記補正率を変化させるようにしてもよい。具体的には、孔版原紙Ｍの幅が広いほどプラテンローラ２３における孔版原紙Ｍの滑りが大きくなるので、孔版原紙Ｍの幅が広い程、補正率が大きくなるように設定すればよい。
【図面の簡単な説明】
【図１】本発明の孔版原紙搬送装置の一実施形態を利用した孔版印刷装置の概略構成図
【図２】図１に示す孔版印刷装置の一部のブロック図
【図３】図１に示す孔版印刷装置の作動速度制御手段における補正テーブル
【図４】図１に示す孔版印刷装置の作動速度制御手段におけるその他の補正テーブル
【符号の説明】
１０    読取部
１２    ラインイメージセンサ
１４    原稿送りローラ
２０    製版部
２１    原紙ロール部
２１ａ    紙管
２１ｂ    孔版原紙ロール
２２    サーマルヘッド
２３    プラテンローラ
２８    原紙カッタ
３０    印刷部
３１    印刷ドラム
４０    給紙部
５０    排紙部
６０    排版部
６５    残量算出手段
６６    作動速度制御手段
６７    ライトパルスモータ
７０    記憶手段
７１    メモリＩＣ
７２    基板
７３    接点
７４    コネクタ
８０    マスターホルダー
８１    シリコンダンパー
【図１】
2004216745.tif 000003
【図２】
2004216745.tif 000004
【図３】
2004216745.tif 000005
【図４】
2004216745.tif 000006